(57)【特許請求の範囲】
【請求項１】
適当な弾力性を有する合成樹脂材料による成形品であって上部リング状中栓（１）上面よりすこし下側の内壁面から斜めに円錐形リング状のリブ（２ａ）と取手部（２）が、一体に形成されていて、上部リング状中栓（１）の下部からスリット（６）を隔て等間隔に形成された複数の螺旋形の縦リブ（３）の下部縁端と複数の傾斜リブ（４）の上部縁端はヒンジ部（３ａ）にて連結し、複数の傾斜リブ（４）の下部縁端と底部円盤（５）の周縁部はヒンジ部（４ａ）にて連結して、一体的に形成されている錠剤用緩衝材。
【請求項２】
適当な弾力性を有する合成樹脂材料による成形品であって、錠剤用容器の口部に着脱自在に内嵌される中栓（１）と、該中栓（１）の下部から形成され且つ互いに周方向に間隔を有して筒状に配設された複数の螺旋形の縦リブ（３）と、各縦リブ（３）の下端部にヒンジ部（３ａ）を介して連結された傾斜リブ（４）と、底部円盤（５）とを備えて一体成形されており、底部円盤（５）の周縁部は、前記複数の縦リブ（３）に連結された複数の傾斜リブ（４）の下端部にヒンジ部（４ａ）を介して連結されていることを特徴とする錠剤用緩衝材。
【請求項３】
中栓（１）はリング状に形成され、該中栓（１）の上面よりすこし下側の内壁面から斜めに円錐形リング状のリブ（２ａ）と取手部（２）とが一体に形成されていることを特徴とする請求項２に記載の錠剤用緩衝材。
【請求項４】
縦リブ（３）及び傾斜リブ（４）は帯板状に形成されるとともに、縦リブ（３）の上下方向所定部位の周方向幅が傾斜リブ（４）の幅よりも細く形成されていることを特徴とする請求項１，２又は３に記載の錠剤用緩衝材。
【請求項５】
縦リブ（３）の下端部には、螺旋形を呈しておらず傾斜リブ（４）に対して真っ直ぐに延びるストレート部（３１）が設けられていることを特徴とする請求項１〜４のいずれかに記載の錠剤用緩衝材。
【請求項６】
底部円盤（５）が容器内の錠剤上面に当接することにより中栓（１）に対して相対的に上方に押し上げられると複数の傾斜リブ（４）が展開して底部円盤（５）と略平坦となり、これら底部円盤（５）と複数の傾斜リブ（４）とによって容器内の錠剤上面を押圧保持し、前記複数の螺旋形の縦リブ（３）は、そのねじれ作用によって、展開された複数の傾斜リブ（４）と中栓（１）との弾力的な上下方向距離調整を可能にすることを特徴とする請求項１〜５のいずれかに記載の錠剤用緩衝材。
【請求項７】
縦リブ（３）の下端部は径方向外方に向けて湾曲していることを特徴とする請求項１〜６のいずれかに記載の錠剤用緩衝材。
【発明の詳細な説明】
【技術分野】
【０００１】
本発明は、医薬品や食料品等の包装容器に収納された錠剤の品質を保証するため錠剤の上面に充填して使用される錠剤用緩衝材に関するものである。
【背景技術】
【０００２】
一般に多数個の錠剤やカプセルを収納した広口容器に於いて、振動や衝撃的な作用によって錠剤相互間又は容器の内壁との衝突現象によって錠剤の割れ、欠け等の破損するのを防止する為、モルトプレン、ポリエチレンフィルム、綿花等の緩衝材を容器上部に収納しているが充填作業中に塵埃物が付着し易く衛生面的な面で問題がある。ユーザーの使用性、メーカーでの作業性、あるいは経済性において何らかの問題点を持ちながら使用されているのが現状である。特に規格硝子瓶に使用されているポリエチレンシートの緩衝材は、エンドユーザーでポリエチレンシートの緩衝材を取り出す時に錠剤がシートに絡んで飛び出すという欠陥については、各製薬会社等に於いても具体的な解決策がなく未だにエンドユーザー側での潜在的クレームとなっている。又、比較的大容量の容器に関しては、モルトプレンや合成樹脂材料で一体的に射出成型した緩衝材も有って実用化されているものもあるが、最近の規格された硝子瓶等に収納されている錠剤は、錠剤の収納量が比較的多くなり容器の上部空間が極めて少ない状態になってきている。
【０００３】
現在実用化されている大容量の広口容器用の成型製品の緩衝材に於いては、収納された錠剤面と容器内上部に空間が比較的に広くあって、容器に挿入する時、外部押え片が容器の口部に当たって上部方向に湾曲し、容器内に挿入すると胴部の広くなった部分で弾性的復元力によって反転し、外部押え片は水平面の放射状に復元して錠剤上面を押えることが出来る錠剤用緩衝材が市販されている。
【先行技術文献】
【特許文献】
【０００４】
【特許文献１】特許第３１１６２７４号公報
【特許文献２】特許第３２１１０８２号公報
【０００５】
然しながら、これ等の特許文献１記載の立体式錠剤緩衝材と、特許文献２記載の平面式錠剤緩衝材等は、規格化された硝子瓶の包装形態から見て収納される錠剤上面と瓶内上部との空間が少なく、現行の大型容器の成形製品の緩衝材の形態では、規格、瓶に挿入後、外部押え片は、弾性的復元力による反転する空間が無く外部押え片が瓶の口部に当たって上部方向に湾曲し窄んだ状態で瓶の口内頸長部に詰まって、押え片が錠剤上面を押えることが出来ず、錠剤用緩衝材の機能が失われる欠点がある。
【０００６】
従って、容器に充填される錠剤の収納量の大小に関係なく、また従来の大容量の広口容器用の緩衝材としても適合し、挿入と取出しが容易なものであって、シンプルに形成され且つ衛生的であり経済的で普遍妥当性の形態を有する緩衝材の開発が必要になっている現状である。
【発明の概要】
【発明が解決しようとする課題】
【０００７】
以上述べた従来の特許文献１記載の錠剤用立体式緩衝材と特許文献２記載の平面式錠剤用緩衝材は、容器内の錠剤の充填量の大小によって錠剤上面と口内径の頸長部との空間が異なり、広い空間の場合は容器の胴内径において外部押え片は弾性的復元作用によって略水平面に錠剤を押えることが出来るが、狭い空間の場合は容器内で外径押え片が反転する空間が無く瓶の口部に当たって上部方向に湾曲し窄んだ状態で瓶の口内頸長部に詰まって、水平面に錠剤を均一に押圧することが不可能になる。
【０００８】
そこで、本発明の緩衝材は、容器の錠剤充填量が多く口内径頸長部と錠剤上面の空間が少ない状態の包装形態であっても容易に挿入が出来て、大容量の錠剤用広口容器や規格化された小型硝子瓶などにもフレキシブルに対応できる汎用性の高い、画期的な特徴を有する錠剤用緩衝材を提供することを目的とするものである。
【課題を解決するための手段】
【０００９】
上記目的を達成するために、本発明は、次の技術的手段を講じた。
【００１０】
すなわち、本発明の錠剤用緩衝材は、容器の充填量の増減変化によって、口上面と錠剤上面の空間の大小に対応する為に、適当な弾力性を有する合成樹脂材料による成形品であって上部リング状中栓上面よりすこし下側の内壁面から斜めに円錐形リング状のリブと取手部が、一体に形成されていて、上部リング状中栓の下部からスリットを隔て等間隔に形成された複数の螺旋形の縦リブの下部縁端と複数の傾斜リブの上部縁端はヒンジ部にて連結し、複数の傾斜リブの下部縁端と底部円盤の周縁部はヒンジ部にて連結して、一体的に形成されているバスケット型の構造とした。
【００１１】
また、本発明の錠剤用緩衝材は、錠剤用容器の口部に着脱自在に内嵌される中栓と、該中栓の下部から形成され且つ互いに周方向に間隔を有して筒状に配設された複数の螺旋形の縦リブと、各縦リブの下端部にヒンジ部を介して連結された傾斜リブと、底部円盤とを備えて合成樹脂材により一体成形されており、底部円盤の周縁部は、前記複数の縦リブに連結された複数の傾斜リブの下端部にヒンジ部を介して連結されている構造とした。かかる錠剤用緩衝材において、中栓はリング状に形成され、該中栓の上面よりすこし下側の内壁面から斜めに円錐形リング状のリブと取手部が一体に形成されているものとするのが好ましい。
【００１２】
上記した本発明の錠剤用緩衝材において、縦リブ及び傾斜リブを帯板状に形成するとともに、縦リブの上下方向所定部位の周方向幅を傾斜リブの幅よりも細く形成することができる。
【００１３】
また、縦リブの下端部に、螺旋形を呈しておらず傾斜リブに対して真っ直ぐに延びるストレート部を設けることができる。
【００１４】
さらに、本発明の錠剤用緩衝材によれば、底部円盤が容器内の錠剤上面に当接することにより中栓に対して相対的に上方に押し上げられると複数の傾斜リブが展開して底部円盤と略平坦となり、これら底部円盤と複数の傾斜リブとによって容器内の錠剤上面を押圧保持し、前記複数の螺旋形の縦リブは、そのねじれ作用によって、展開された複数の傾斜リブと中栓との弾力的な上下方向距離調整を可能にすることができる。
【００１５】
さらに、縦リブの下端部は径方向外方に向けて湾曲させることができる。これによれば、緩衝材を錠剤上面に押圧させたときの縦リブのツイスト状のねじれ変形と、縦リブの水平状への展開変形とが、より円滑に行われるようになる。
【発明の効果】
【００１６】
以上説明したように、本発明の錠剤用緩衝材は、容器の充填量の増減変化によって、口上面と錠剤上面の空間の大小に対応する為、又容器の口内径に容易に通過して挿入できるようにし、容器の内径に嵌合する上部リング状中栓の外径より複数の螺旋形の縦リブの外径が小さく形成されていて、容器の口内径に干渉することなく容易に挿入できる。
【００１７】
本発明の緩衝材が挿入されると、底部円盤が錠剤上面に接触した時点で、複数の螺旋形の縦リブの下部縁端と複数の傾斜リブの上部縁端を連結しているヒンジ部と傾斜リブの下部縁端と底部円盤の周縁部はヒンジ部にて連結している形体において、複数の傾斜リブは、複数の螺旋形の縦リブが錠剤上面の下方向に押圧されると、複数の傾斜リブは底部円盤の周縁部と連結しているヒンジ部を支点にして、複数の螺旋形の縦リブの下部縁端と複数の傾斜リブの上部縁端と連結しているヒンジ部が錠剤上面の胴内径方向に押圧移動すると、複数の傾斜リブは、底部円盤とともに水平状に展開して錠剤上面を隈なく押圧する押え片に変化した形体となる。
【００１８】
更に上部リング状中栓の外径部が容器の口内径に嵌合される時点に、複数の螺旋形の縦リブはヒンジ部を支点にして時計回りにツイストした螺旋形の縦リブが傾斜リブの上面に覆い重なって、弾力性のある補強リブに変形し、複数の螺旋形の縦リブはツイスト状の弾性的リブに変化した形体の錠剤用緩衝材となる。
【００１９】
本発明は、このような立体的でシンプルなバケット型の形体でありながら構成している複数の各リブと底部円盤を連結さしている各ヒンジ部の機能によって、複数の螺旋形の縦リブ、複数の傾斜リブ、並びに、底部円盤が容器に挿入後の押圧作用により錠剤上面の押え片に変化する機能を備えている革新的な特徴を有する緩衝材である。
【００２０】
バケット型緩衝材の取り出しについては、容器の口内径に嵌合されている上部リング状中栓の上面より少し下側の内壁面から斜めに円錐形リング状のリブと一体に形成されている取手部の円周部の裏側を任意の位置から、人差し指等で引っ掛けて引き上げると容易に取り出すことができる。
【００２１】
バケット型緩衝材の形態は、シンプルな複数の螺旋形の縦リブや複数の傾斜リブと底部円盤の形状で、籠のような形態であるので容器に挿入された場合は、錠剤は、複数の螺旋形の縦リブと連結している複数の傾斜リブと底部円盤の内側には、錠剤が飛込まない形体になっている。
【００２２】
縦リブが湾曲して錠剤を押圧する平面式や筒状でリブ付きの従来の緩衝材は、容器の振動や衝撃によって、縦リブと縦リブの隙間から錠剤がハイブレーション運動作用で内側に入り込むという致命的欠陥を有していた。然しながら、本発明の緩衝材はシンプルな複数の螺旋形の縦リブや複数の傾斜リブと底部円盤の形状で、籠のような形態であるので容器に挿入された場合は、錠剤は、複数の螺旋形の縦リブと連結している複数の傾斜リブと底部円盤は各ヒンジ機能によって容器の胴部、内径壁まで水平状に展開した錠剤押え片になって錠剤上面を隈無く押圧する形体になっている。故に錠剤が内側に漏れて飛込まない構造と機能を備えている錠剤用緩衝材である。
【００２３】
従来の立体的又は平面的な緩衝材は、弾力性を有する合成樹脂材料の低密度ポリエチレン等で成型されているので複雑な形状では、運送時や移動される時に変形の心配があるが、本発明のバケット式緩衝材はリング状中栓付きの籠状の形体であるため変形する要素が極めて少ない為に、外観の品質が安定する特徴と備えた錠剤用緩衝材である。
【００２４】
本発明の緩衝材は、複数の螺旋形の縦リブ、複数の傾斜リブ等がシンプルな形体でありながら、錠剤の大きさや形状の変化、容器の口内径や胴内径の変化、錠剤の充填量による容器の上部空間量の変化に効果的にフレキシビリティーに対応でき、汎用性が高く経済的にも顕著な効果が発揮できる画期的特徴を有する錠剤用緩衝材である。
【図面の簡単な説明】
【００２５】
【図１】本発明の第１実施例に係る錠剤用緩衝材を示す一部断面正面図である。
【図２】同緩衝材の底面図である。
【図３】同緩衝材の容器に挿入する状態を示す一部断面外観図である。
【図４】同緩衝材を容器の錠剤上面に傾斜リブと底部円盤が展開し接触した一部断面の外観図である。
【図５】同緩衝材の複数の傾斜リブと底部円盤の展開された上面に、複数の螺旋形の縦リブがツイスト状の形体を形成して錠剤上面を押圧しながら容器の口内径に上部リンク状中栓の外径が軽嵌合した状態を示す外観図である。
【図６】同緩衝材の複数の傾斜リブと底部円盤が展開された状態を示す底面図である。
【図７】同緩衝材を容器から取り出す状態を示す一部断面の外観図である。
【図８】同緩衝材を容器内に装着した状態を示す一部断面の外観図である。
【図９】本発明の第２実施例に係る錠剤用緩衝材を示す一部断面正面図である。
【図１０】同緩衝材の平面図である。
【図１１】同緩衝材の底面図である。
【図１２】同緩衝材の容器に挿入する状態を示す一部断面外観図である。
【図１３】同緩衝材を容器の錠剤上面に傾斜リブと底部円盤が展開し接触した一部断面の外観図である。
【図１４】同緩衝材の複数の傾斜リブと底部円盤の展開された上面に、複数の螺旋形の縦リブがツイスト状の形体を形成して錠剤上面を押圧しながら容器の口内径に上部リンク状中栓の外径が軽嵌合した状態を示す外観図である。
【図１５】同緩衝材の複数の傾斜リブと底部円盤が展開された状態を示す底面図である。
【図１６】同緩衝材を容器から取り出す状態を示す一部断面の外観図である。
【図１７】同緩衝材を容器内に装着した状態を示す一部断面の外観図である。
【図１８】本発明の第３実施例に係る錠剤用緩衝材を示す全体斜視図である。
【図１９】同緩衝材の縦断面図である。
【発明を実施するための形態】
【００２６】
以下、本発明の実施の形態を図示実施例に基づいて説明する。
【００２７】
図１〜図８は本発明の第１実施例に係る錠剤用緩衝材Ａを示し、図１は一部断面で示す正面図であり、図２は図１の緩衝材の底面図で上部リング状中栓１と底部円盤５と傾斜リブ４がスリット６を隔てて複数等間隔で螺旋形の縦リブ３に連結している図である。
【００２８】
先ずは、本発明の錠剤用緩衝材の容器内へ挿入から錠剤上面を押圧する形体に順次変化していく図３から図８に示す実施の形態を説明する。
【００２９】
図３は、緩衝材Ａが容器Ｂに挿入し底部円盤５が錠剤Ｃ上面に接触した状態を示す一部断面された外観図である。
【００３０】
図４は、緩衝材Ａを容器Ｂの錠剤Ｃ上面に接触した底部円盤５とヒンジ部４ａで連結された複数の傾斜リブ４が、ヒンジ部３ａと連結している複数の螺旋形の縦リブ３が錠剤Ｃ上面の下方向に押圧により湾曲していくと複数の傾斜リブ４の下部縁端と底部円盤５の周縁部に連結しているヒンジ部４ａを支点にして、複数の螺旋形の縦リブ３の下部縁端と複数の傾斜リブ４の上部縁端と連結しているヒンジ部３ａが錠剤Ｃ上面の容器Ｂの胴内径方向に押圧移動の作用により複数の傾斜リブ４は底部円盤５と水平状に一体化して錠剤上面を隈なく押圧する錠剤の押え片リブに変化した形体となる。
【００３１】
図５は、本発明の緩衝材を容器内に挿入し、上部リング状中栓１の外径部が容器の口内径に嵌合される時点に、複数の螺旋形の縦リブ３のヒンジ部３ａを支点にして下部から時計回りにツイストした複数の螺旋形の縦リブ３が傾斜リブ４の上面に覆い重なりツイスト状の弾力性のリブに変化した形体に形成された錠剤用緩衝材である。
【００３２】
図６は、緩衝材の傾斜リブ４と底部円盤５が錠剤の押さえ片に展開された形体の上面をヒンジ部３ａを支点として複数の螺旋形の縦リブ３が時計回りにツイスト状に押圧された状態で、スリット巾が極めて小さく形成された形体を示す底面図である。
【００３３】
図７に示す一部断面の外観図は、バケット式緩衝材の取手部２を指にて引き上げて取り出す状態を示す図である。この取出し用取手部２は上部リング状中栓１の内壁円周上にフランジ状に形成されているから、任意の位置から指先部で取り出せる形体であるから、従来のアンダーカットや舌片状の取出し形体より、取出しが容易である。
【００３４】
図８は、バケット式緩衝材Ａを挿入してキャップＤを装着した一部断面の外観図である。容器Ｂの内径に軽嵌合された、上部リング状中栓１は容器の口上面より浮き上がらない形体であって、キャップＤを閉じた時、上部リング状中栓１の上縁部がキャップのパッキング面に接触しない状態であるから、緩衝材に対する、共周りや捩れの損傷等のトラブルが発生しないので、工程管理や品質管理が効果的に実施できる画期的な特徴のある緩衝材を示している。
【００３５】
図９〜図１７は本発明の第２実施例に係る錠剤用緩衝材Ａを示し、上記第１実施例と異なるところは、縦リブ３の下端部３ｂが、下方に至るにしたがって径方向外方に向けて湾曲されている点であり、その他の構成については第１実施例と同様であるので同符号を付して詳細説明を省略する。
【００３６】
図１８及び図１９は本発明の第３実施例に係る錠剤用緩衝材を示し、上記第１実施例と同様の構成については同符号を付して詳細説明を省略し、異なる構成、作用効果について説明する。
【００３７】
本実施例の緩衝材Ａは、適当な弾力性を有する合成樹脂材料による成形品であって上部リング状中栓１上面よりすこし下側の内壁面から斜めに円錐形リング状のリブ２ａと取手部２が、一体に形成されていて、上部リング状中栓１の下部からスリット６を隔て等間隔に形成された複数の螺旋形の縦リブ３の下部縁端と複数の傾斜リブ４の上部縁端はヒンジ部３ａにて連結し、複数の傾斜リブ４の下部縁端と底部円盤５の周縁部はヒンジ部４ａにて連結して、一体的に形成されている。すなわち、緩衝材Ａは、錠剤用容器の口部に着脱自在に内嵌される中栓１と、該中栓１の下部から形成され且つ互いに周方向に間隔を有して筒状に配設された複数の螺旋形の縦リブ３と、各縦リブ３の下端部にヒンジ部３ａを介して連結された傾斜リブ４と、底部円盤５とを備えて一体成形されており、底部円盤５の周縁部は、前記複数の縦リブ３に連結された複数の傾斜リブ４の下端部にヒンジ部４ａを介して連結されている。
【００３８】
各縦リブ３及び傾斜リブ４は帯板状に形成されるとともに、図１９に仮想線で示すように、縦リブ３の上下方向所定部位、本実施例では縦リブ３の上端部からヒンジ部３ａよりも少し上側までの領域の周方向幅が、傾斜リブ４の幅よりも細く形成されている。かかる構成により、縦リブ３がツイスト状に変形し易くなり、より軽い力で円滑にツイスト状の変形動作が行われるようになる。なお、かかる幅狭領域は、縦リブ３の上下方向中間部にのみ設けることもでき、また、上部側にのみ設けてもよい。
【００３９】
縦リブ３の下端部には、図１９に仮想線で示すように、螺旋形を呈しておらず傾斜リブ４に対して真っ直ぐに延びるストレート部３１が設けられている。このストレート部３１を設けたことによって、ツイスト状に変形した場合にヒンジ部３ａに無理な剪断応力が作用してヒンジ部３ａが破断してしまうことを防止できる。
【００４０】
本実施例に係る緩衝材Ａによれば、底部円盤５が容器内の錠剤上面に当接することにより中栓１に対して相対的に上方に押し上げられると複数の傾斜リブ４が展開して底部円盤５と略平坦となり、これら底部円盤５と複数の傾斜リブ４とによって容器内の錠剤上面を押圧保持し、一方、複数の螺旋形の縦リブ３は、そのねじれ作用によって、展開された複数の傾斜リブ４と中栓１との弾力的な上下方向距離調整を可能にする。
【００４１】
以上本発明の実施形態を説明したが、本発明の範囲はこれに限定されるものではなく、状況に応じて且つ効果を有する範囲内で適宜変更して実施できることは勿論である。
【産業上の利用可能性】
【００４２】
本発明は、医薬品の錠剤用容器や健康保険剤の錠剤用容器等に、又、一般錠剤用容器に利用できる。
【符号の説明】
【００４３】
１    上部リング状中栓
２    取手部
２ａ  円錐形リング状のリブ
３    複数の螺旋形の縦リブ
３ａ  ヒンジ部
３ｂ  縦リブの下端部
４    複数の傾斜リブ
４ａ  ヒンジ部
５    底部円盤
６    スリット
Ａ    緩衝材
Ｂ    容器
Ｃ    錠剤
Ｄ    キャップ
【図１】
0005240573.tif 000002
【図２】
0005240573.tif 000003
【図３】
0005240573.tif 000004
【図４】
0005240573.tif 000005
【図５】
0005240573.tif 000006
【図６】
0005240573.tif 000007
【図７】
0005240573.tif 000008
【図８】
0005240573.tif 000009
【図９】
0005240573.tif 000010
【図１０】
0005240573.tif 000011
【図１１】
0005240573.tif 000012
【図１２】
0005240573.tif 000013
【図１３】
0005240573.tif 000014
【図１４】
0005240573.tif 000015
【図１５】
0005240573.tif 000016
【図１６】
0005240573.tif 000017
【図１７】
0005240573.tif 000018
【図１９】
0005240573.tif 000019
【図１８】
0005240573.tif 000020